(57)【特許請求の範囲】
【請求項１】
電源から供給された電力を蓄電するコンデンサが設けられた昇圧形定電流部と、前記コンデンサに蓄電された電力によって電流が供給されることにより定電流駆動する発光素子と、前記昇圧形定電流部から前記発光素子に供給される電流の値を制御することによって前記発光素子の発光輝度を制御する制御部とを有する発光表示媒体において、
前記昇圧形定電流部に蓄電された電力を出力することによって放電を行うための放電パスを有し、
前記制御部は、前記昇圧形定電流部から前記発光素子に供給される電流の値を第１の値から該第１の値よりも小さな第２の値に切り替える際、前記昇圧形定電流部に蓄電された電力を前記放電パスを介して出力することによって放電を行うことを特徴とする発光表示媒体。
【発明の詳細な説明】
【技術分野】
【０００１】
本発明は、蓄電された電力によって電流を供給して発光素子を発光させる発光表示媒体に関し、特に、発光輝度を高輝度から低輝度に切り替える際の切替時間の短縮技術に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する薄型の電子表示パネルが普及しはじめている。このような薄型の電子表示パネルは、互いに対向する２つの電極間に、電流が流れると発光する有機ＥＬ素子を配置して有機ＥＬ素子に電流を流し、この有機ＥＬ素子の発光によって情報を表示するものであるが、有機ＥＬ素子の輝度は、有機ＥＬ素子に流れる電流に比例するため、流れる電流を制御することにより有機ＥＬ素子の輝度が調節されている。そして、紙のように薄いために携帯がしやすいとともに、消費電力が少なく、また視野角が広いことから、今後のさらなる普及が予想される。このような有機ＥＬ素子においては、入力電圧を定電流に変換する昇圧型定電流回路によって定電流駆動している（例えば、特許文献１参照。）。
【０００４】
図４は、有機ＥＬ素子を用いた電子表示パネルの一例を示す図であり、（ａ）は表面図、（ｂ）は（ａ）に示したＡ−Ａ’断面図、（ｃ）は内部構造を示すブロック図である。
【０００５】
本例は図４に示すように、絶縁材料からなる基板１２０と、透明な材料からなる保護フィルム１２１と、表面シート１１０とが積層され、透明な粘着剤１２２によってこれらが互いに接着されて構成されている。
【０００６】
基板１２０には、保護フィルム１２２との積層面に、この電子表示パネル１０１にて表示すべき情報“Ａ”，“Ｂ”，“Ｃ”を示す形状をそれぞれ有する表示電極１３１ａ〜１３１ｃが形成されており、この表示電極１３１ａ〜１３１ｃ上には、有機ＥＬ素子１３３ａ〜１３３ｃがそれぞれ積層され、さらに、この有機ＥＬ素子１３３ａ〜１３３ｃを覆うようにＩＴＯ１３２が積層されている。また、基板１２０の保護フィルム１２１との積層面には、電源部１４０と、電源部１４０の電圧を定電流に変換する昇圧形定電流部１５０と、有機ＥＬ素子１３３ａ〜１３３ｃの発光状態を切り替えるとともに、有機ＥＬ素子１３３ａ〜１３３ｃの発光輝度に応じて昇圧形定電流部１５０から有機ＥＬ発光素子１３３ａ〜１３３ｃに供給する電流の値を制御する制御部１６０とが設けられており、有機ＥＬ素子１３３ａ〜１３３ｃは、昇圧形定電流部１５０から供給された電流によって定電流駆動して発光する。また、表面シート１１０には、表示電極１３１ａ〜１３１ｃ及び有機ＥＬ素子１３３ａ〜１３３ｃに対向する領域に、表示電極１３１ａ〜１３１ｃ及び有機ＥＬ素子１３３ａ〜１３３ｃと同一形状を有する窓部１１１ａ〜１１１ｃが形成されている。
【０００７】
以下に、上記のように構成された電子表示パネル１０１の動作について説明する。
【０００８】
図５は、図４に示した電子表示パネル１０１の回路図である。
【０００９】
図４に示した電子表示パネル１０１においては、電源部１４０となる電池１４１から供給された電力が昇圧形定電流部１５０に供給される。昇圧形定電流部１５０においては、コンパレータ１５１における比較結果に基づいてスイッチング素子１５２が動作し、スイッチング素子１５２の動作に応じた電力がコンデンサＣ１に蓄電される。
【００１０】
マイコン１６１においては、スイッチＳＷ１が切り替えられ、表示電極１３１ａ〜１３１ｃに対する電圧の選択的な印加によって有機ＥＬ素子１３３ａ〜１３３ｃの発光が切り替えられるが、有機ＥＬ素子１３３ａ〜１３３ｃにおける発光輝度を異ならせるために、マイコン１６１においては、有機ＥＬ素子１３３ａ〜１３３ｃの発光の切り替えと同期して、互いに並列に接続された抵抗Ｒ１〜Ｒ３が有機ＥＬ素子１３３ａ〜１３３ｃにおける発光輝度に応じて選択されてスイッチＳＷ２，ＳＷ３のＯＮ／ＯＦＦが制御され、それにより、合成抵抗ＲFBが設定される。
【００１１】
このようにしてスイッチＳＷ１が切り替えられるとともにスイッチＳＷ２，ＳＷ３のＯＮ／ＯＦＦが制御されることによって、コンデンサＣ１に蓄電された電力で表示電極１３１ａ〜１３１ｃを介して有機ＥＬ素子１３３ａ〜１３３ｃに選択的に電流が供給され、有機ＥＬ発光素子１３３ａ〜１３３ｃが、互いに発光輝度を異ならせて選択的に発光することになる。
【先行技術文献】
【特許文献】
【００１２】
【特許文献１】特開２０１０−１６０３６９号公報
【発明の概要】
【発明が解決しようとする課題】
【００１３】
図６は、図４及び図５に示した電子表示パネル１０１における有機ＥＬ素子１３３ａ〜１３３ｃの発光動作を説明するための図であり、（ａ）は有機ＥＬ素子１３３ａ〜１３３ｃのＯＮ／ＯＦＦのタイミングを示す図、（ｂ）はスイッチＳＷ１〜ＳＷ３のＯＮ／ＯＦＦが制御されることによって設定される合成抵抗ＲFBの値を示す図、（ｃ）は有機ＥＬ素子１３３ａ〜１３３ｃのＳＷ１側の電圧ＶFBの値を示す図、（ｄ）は有機ＥＬ素子１３３ａ〜１３３ｃに流れる電流の値を示す図である。
【００１４】
上述したように、有機ＥＬ素子１３３ａ〜１３３ｃを選択的に発光させるためにスイッチＳＷ１を切り替えることにより、有機ＥＬ素子１３３ａ〜１３３ｃを選択的に導通状態とする。例えば、図６（ａ）に示すように、時間ｔ0にて有機ＥＬ素子１３３ａを導通状態とし、その後、時間ｔ1にて有機ＥＬ素子１３３ａを非導通状態とするとともに有機ＥＬ素子１３３ｂを導通状態とする。そして、時間ｔ2にて有機ＥＬ素子１３３ｂを非導通状態とするとともに有機ＥＬ素子１３３ｃを導通状態とする。その後、時間ｔ3にて有機ＥＬ素子１３３ｃを非導通状態とする。
【００１５】
すると、有機ＥＬ素子１３３ａ〜１３３ｃのそれぞれは、導通状態となっている間にて、その際のマイコン１６１による抵抗Ｒ１〜Ｒ３の選択による合成抵抗ＲFBに応じた電流が供給されて発光することになる。そのため、上記のような順序で有機ＥＬ素子１３３ａ〜１３３ｃの発光の切り替えを行った場合、有機ＥＬ素子１３３ａの発光輝度が最も高く、有機ＥＬ素子１３３ｃの発光輝度が最も低いとすると、有機ＥＬ素子１３３ａに供給される電流の値が最も大きく、有機ＥＬ素子１３３ｃに供給される電流の値が最も小さい。そのため、マイコン１６１によって選択される抵抗Ｒ１〜Ｒ３による合成抵抗ＲFBは、図６（ｂ）に示すように、有機ＥＬ素子１３３ａを発光させる際に最も低く、有機ＥＬ素子１３３ｃを発光させる際に最も高くなる。発光の際に供給される電流の値が大きなものから小さなものに切り替えると、発光する有機ＥＬ素子を有機ＥＬ素子１３３ａから有機ＥＬ素子１３３ｂに発光を切り替えた際、有機ＥＬ素子１３３ｂが導通状態となった直後に、コンデンサＣ１に蓄電された電力が有機ＥＬ素子１３３ｂを介して放電する。この時、抵抗Ｒ１〜Ｒ３による合成抵抗ＲFBの値が高くなり、有機ＥＬ素子の抵抗分は一定なため、２つの抵抗による分圧比が変化し、図６（ｃ）に示すように、電圧ＶFBが電圧ＶREFよりも高くなり、電圧ＶFBが電圧ＶREFと同じ電圧になるまで時間がかかってしまう。これにより、図６（ｄ）に示すように、発光する有機ＥＬ素子を有機ＥＬ素子１３３ａから有機ＥＬ素子１３３ｂに切り替えた直後は、有機ＥＬ素子１３３ｂに流れる電流が設定した電流にならない。同様に、発光する有機ＥＬ素子を有機ＥＬ素子１３３ｂから有機ＥＬ素子１３３ｃに切り替えた際、有機ＥＬ素子１３３ｃが導通状態となった直後に、コンデンサＣ１に蓄電された電力が有機ＥＬ素子１３３ｃを介して放電して電流が流れる。この時、抵抗Ｒ１〜Ｒ３による合成抵抗ＲFBの値が高くなり、有機ＥＬ素子の抵抗分は一定なため、分圧比が変化し、電圧ＶFBが電圧ＶREFよりも高くなる、電圧ＶFBが電圧ＶREFと同じ電圧になるまで時間がかかってしまう。これにより、発光する有機ＥＬ素子を有機ＥＬ素子１３３ｂから有機ＥＬ素子１３３ｃに切り替えた直後は、有機ＥＬ素子１３３ｃに流れる電流が設定した電流にならない。
【００１６】
このような現象は、互いに発光輝度が異なる複数の有機ＥＬ素子を用いた場合に限らず、１つの有機ＥＬ素子に供給する電流の値を大きなものから小さなものに切り替える場合にも生じるものであり、電流を切り替える場合に短時間では設定した電流に切り替えることができないという問題点がある。
【００１７】
本発明は、上述したような従来の技術が有する問題点に鑑みてなされたものであって、蓄電した電力によって電流を供給して発光素子を発光させるものにおいて、発光素子に供給する電流を大きなものから小さなものに切り替える場合であっても、電流の切り替えを高速で行うことができる発光表示媒体を提供することを目的とする。
【課題を解決するための手段】
【００１８】
上記目的を達成するために本発明は、
電源から供給された電力を蓄電するコンデンサが設けられた昇圧形定電流部と、前記コンデンサに蓄電された電力によって電流が供給されることにより定電流駆動する発光素子と、前記昇圧形定電流部から前記発光素子に供給される電流の値を制御することによって前記発光素子の発光輝度を制御する制御部とを有する発光表示媒体において、
前記昇圧形定電流部に蓄電された電力を出力することによって放電を行うための放電パスを有し、
前記制御部は、前記昇圧形定電流部から前記発光素子に供給される電流の値を第１の値から該第１の値よりも小さな第２の値に切り替える際、前記昇圧形定電流部に蓄電された電力を前記放電パスを介して出力することによって放電を行うことを特徴とする。
【００１９】
上記のように構成された本発明においては、昇圧形定電流部に蓄電された電力によって発光素子に電流が供給され、発光素子がこの電流によって駆動する。発光素子は、供給される電流に応じて発光輝度が変化する定電流駆動であるため、制御部においては、昇圧形定電流部から発光素子に供給される電流が発光素子の発光輝度に応じて制御されている。そして、発光素子の発光輝度を高輝度から低輝度に切り替えるために昇圧形定電流部から発光素子に供給される電流を第１の値からそれよりも小さな第２の値に切り替える際、制御部の制御によって、昇圧形定電流部に蓄電された電力が放電パスを介して放電される。これにより、発光素子に供給される電流の値を第１の値からそれよりも小さな第２の値に切り替える場合、昇圧形定電流部に蓄電された電力が放電パスを介して強制的に放電されてから、発光素子の発光輝度に応じて昇圧形定電流部に電力が蓄電され、この電力によって電流が発光素子に供給されることになり、昇圧形定電流部に蓄電された電力が発光素子を介して放電することによって発光素子に供給される電流の値が大きなものから小さなものに切り替わるまでの時間が長くなることがない。
【発明の効果】
【００２０】
以上説明したように本発明においては、入力電圧を定電流に変換して電力を蓄電する昇圧形定電流部と、昇圧形定電流部に蓄電された電力によって電流が供給されることにより定電流駆動する発光素子と、昇圧形定電流部から発光素子に供給される電流の値を制御することによって発光素子の発光輝度を制御する制御部とを有するものにおいて、発光素子の発光輝度を高輝度から低輝度に切り替えるために昇圧形定電流部から発光素子に供給される電流を第１の値からそれよりも小さな第２の値に切り替える際、制御部の制御によって、昇圧形定電流部に蓄電された電力を放電パスを介して放電する構成としたため、発光素子の発光輝度を高輝度から低輝度に切り替えるために昇圧形定電流部から発光素子に供給される電流を第１の値からそれよりも小さな第２の値に切り替える際、昇圧形定電流部に蓄電された電力が放電パスを介して強制的に放電されてから、発光素子の発光輝度に応じて昇圧形定電流部に電力が蓄電され、この電力によって電流が発光素子に供給されることになり、それにより、蓄電された電力によって電流を供給して発光素子を発光させるものにおいて、発光素子に供給される電流の値を大きなものから小さなものに切り替える場合であっても、電流の切り替えを高速で行うことができる。
【図面の簡単な説明】
【００２１】
【図１】本発明の発光表示媒体の実施の一形態を示す図であり、（ａ）は表面図、（ｂ）は（ａ）に示したＡ−Ａ’断面図、（ｃ）は内部構造を示すブロック図である。
【図２】図１に示した電子表示パネルの回路図である。
【図３】図１及び図２に示した電子表示パネルにおいて３つの有機ＥＬ素子を発光輝度の高いものから順に発光させる際の動作を説明するための図であり、（ａ）は有機ＥＬ素子のＯＮ／ＯＦＦのタイミングと放電パスのスイッチング素子のＯＮ／ＯＦＦのタイミングを示す図、（ｂ）はスイッチＳＷ１〜ＳＷ３のＯＮ／ＯＦＦが制御されることによって設定される合成抵抗ＲFBの値を示す図、（ｃ）は有機ＥＬ素子のＳＷ１側の電圧ＶFBの値を示す図、（ｄ）は有機ＥＬ素子に流れる電流の値を示す図である。
【図４】有機ＥＬ素子を用いた電子表示パネルの一例を示す図であり、（ａ）は表面図、（ｂ）は（ａ）に示したＡ−Ａ’断面図、（ｃ）は内部構造を示すブロック図である。
【図５】図４に示した電子表示パネルの回路図である。
【図６】図４及び図５に示した電子表示パネルにおける有機ＥＬ素子の発光動作を説明するための図であり、（ａ）は有機ＥＬ素子のＯＮ／ＯＦＦのタイミングを示す図、（ｂ）はスイッチＳＷ１〜ＳＷ３のＯＮ／ＯＦＦが制御されることによって設定される合成抵抗ＲFBの値を示す図、（ｃ）は有機ＥＬ素子のＳＷ１側の電圧ＶFBの値を示す図、（ｄ）は有機ＥＬ素子に流れる電流の値を示す図である。
【発明を実施するための形態】
【００２２】
以下に、本発明の実施の形態について図面を参照して説明する。
【００２３】
図１は、本発明の発光表示媒体の実施の一形態を示す図であり、（ａ）は表面図、（ｂ）は（ａ）に示したＡ−Ａ’断面図、（ｃ）は内部構造を示すブロック図である。
【００２４】
本形態は図１に示すように、絶縁材料からなる基板２０と、透明な材料からなる保護フィルム２１と、表面シート１０とが積層され、透明な粘着剤２２によってこれらが互いに接着されて構成された電子表示パネル１である。
【００２５】
基板２０には、保護フィルム２１との積層面に表示電極３１ａ〜３１ｃが形成されている。この表示電極３１ａ〜３１ｃはそれぞれ、この電子表示パネル１にて表示すべき情報を示す形状を有し、表示電極３１ａは“Ａ”、表示電極３１ｂは“Ｂ”、表示電極３１ｃは“Ｃ”の形状を有している。表示電極３１ａ〜３１ｃ上には、発光素子である有機ＥＬ素子３３ａ〜３３ｃがそれぞれ積層されており、この有機ＥＬ素子３３ａ〜３３ｃを覆うようにＩＴＯ３２が積層されている。また、基板２０の保護フィルム２１との積層面には、電源部４０と、電源部４０の電圧を定電流に変換する昇圧形定電流部５０と、昇圧形定電流部５０に蓄電された電力を放電するための放電パス７０と、有機ＥＬ素子３３ａ〜３３ｃの発光状態を切り替えるとともに、有機ＥＬ素子３３ａ〜３３ｃの発光輝度に応じて昇圧形定電流部５０から有機ＥＬ素子３３ａ〜３３ｃに供給する電流の値を制御し、また、昇圧形定電流部５０に蓄電された電力を放電パス７０を介して強制放電する制御部６０とが設けられており、有機ＥＬ素子３３ａ〜３３ｃは、昇圧形定電流部５０から供給された電流によって定電流駆動して発光する。
【００２６】
有機ＥＬ素子３３ａ〜３３ｃは、例えばポリシラン誘導体を含み、表示電極３１ａ〜３１ｃを介して電流が供給されると、ポリシラン誘導体が発光し、その発光状態がＩＴＯ３２、保護フィルム２１及び表面シート１０を介して視認されることになる。この有機ＥＬ素子３３ａ〜３３ｃは、表示電極３１ａ〜３１ｃと同一の形状を有するものであれば、表示電極３１ａ〜３１ｃを介して電流が供給された場合に、表示電極３１ａ〜３１ｃの形状に発光することができるが、表示電極３１ａ〜３１ｃをそれぞれ覆うように表示電極３１ａ〜３１ｃよりも大きな形状を有するものとすることにより、表示電極３１ａ〜３１ｃ間、または、表示電極３１ａ〜３１ｃとＩＴＯ３２との間における電気的短絡を防止することができるようになる。
【００２７】
以下に、上記のように構成された電子表示パネル１の動作について説明する。
【００２８】
図２は、図１に示した電子表示パネル１の回路図である。
【００２９】
図１に示した電子表示パネル１においては、電源部４０となる電池４１から供給された電力が昇圧形定電流部５０に供給される。昇圧形定電流部５０においては、コンパレータ５１における電圧の比較結果に基づいてスイッチング素子５２が動作し、スイッチング素子５２の動作に応じた電力がコンデンサＣ１に蓄電される。コンパレータ５１における電圧の比較動作については後述する。
【００３０】
また、マイコン６１においては、スイッチＳＷ１が切り替えられ、表示電極３１ａ〜３１ｃに対する電圧の選択的な印加によって有機ＥＬ素子３３ａ〜３３ｃの発光が切り替えられる。また、マイコン６１においては、有機ＥＬ素子３３ａ〜３３ｃの発光の切り替えと同期して、互いに並列に接続された抵抗Ｒ１〜Ｒ３が有機ＥＬ素子３３ａ〜３３ｃにおける発光輝度に応じて選択されてスイッチＳＷ２，ＳＷ３のＯＮ／ＯＦＦが制御され、それにより、合成抵抗ＲFBが設定される。これら抵抗Ｒ１〜Ｒ３は、有機ＥＬ素子３３ａ〜３３ｃの発光輝度を異ならせるために互いに並列に接続されており、マイコン６１において、有機ＥＬ素子３３ａ〜３３ｃの発光輝度に応じて選択すべき抵抗の組み合わせが予め設定されている。そして、マイコン６１において、ＳＷ１による有機ＥＬ素子３３ａ〜３３ｃの選択と同期して、この選択される有機ＥＬ素子の発光輝度に応じた組み合わせの抵抗がＳＷ２，ＳＷ３のＯＮ／ＯＦＦ制御によって選択されることになる。
【００３１】
コンパレータ５１においては、有機ＥＬ素子３３ａ〜３３ｃのＳＷ１側の電圧ＶFBと、予め設定されている電圧ＶREFとが比較され、その比較結果に基づいてスイッチング素子５２のスイッチング動作が制御される。電圧ＶFBが電圧ＶREFよりも高い場合は、スイッチング素子５２のＯＮ時間が短くなるように制御され、また、電圧ＶFBが電圧ＶREFよりも低い場合は、スイッチング素子５２のＯＮ時間が長くなるように制御され、それにより、コンデンサＣ１に蓄電された電力によって、有機ＥＬ素子３３ａ〜３３ｃのうち選択された有機ＥＬ素子に流れる電流が一定となり、その有機ＥＬ素子の発光輝度が一定となる。
【００３２】
また、このように、電圧ＶFBと電圧ＶREFとが互いに同じ電圧になるようにフィードバック制御が行われることにより、互いに並列に接続された抵抗Ｒ１〜Ｒ３のうち選択される抵抗の組み合わせが変わると、有機ＥＬ素子３３ａ〜３３ｃに流れる電流が変化する。それにより、有機ＥＬ素子３３ａ〜３３ｃの発光輝度を互いに異なるものとしている。
【００３３】
このようにしてスイッチＳＷ１が切り替えられるとともにスイッチＳＷ２，ＳＷ３のＯＮ／ＯＦＦが制御されることによって、コンデンサＣ１に蓄電された電力で表示電極３１ａ〜３１ｃを介して有機ＥＬ素子３３ａ〜３３ｃに選択的に電流が供給され、有機ＥＬ発光素子３３ａ〜３３ｃが、互いに発光輝度を異ならせて選択的に発光することになる。
【００３４】
以下に、上述した電子表示パネル１において３つの有機ＥＬ素子３３ａ〜３３ｃを発光輝度の高いものから順に発光させる際の動作について説明する。
【００３５】
図３は、図１及び図２に示した電子表示パネル１において３つの有機ＥＬ素子３３ａ〜３３ｃを発光輝度の高いものから順に発光させる際の動作を説明するための図であり、（ａ）は有機ＥＬ素子３３ａ〜３３ｃのＯＮ／ＯＦＦのタイミングと放電パス７０のスイッチング素子７１のＯＮ／ＯＦＦのタイミングを示す図、（ｂ）はスイッチＳＷ１〜ＳＷ３のＯＮ／ＯＦＦが制御されることによって設定される合成抵抗ＲFBの値を示す図、（ｃ）は有機ＥＬ素子３３ａ〜３３ｃのＳＷ１側の電圧ＶFBの値を示す図、（ｄ）は有機ＥＬ素子３３ａ〜３３ｃに流れる電流の値を示す図である。なお、本形態においては、有機ＥＬ素子３３ａの発光輝度を最も高くし、有機ＥＬ素子３３ｃの発光輝度を最も低くするものとする。
【００３６】
上述したように、有機ＥＬ素子３３ａ〜３３ｃを選択的に発光させるためにスイッチＳＷ１を切り替えることにより、有機ＥＬ素子３３ａ〜３３ｃを選択的に導通状態とする。例えば、図３（ａ）に示すように、時間ｔ0にて有機ＥＬ素子３３ａを導通状態とし、その後、時間ｔ1にて有機ＥＬ素子３３ａを非導通状態とし、時間ｔ2にて有機ＥＬ素子３３ｂを導通状態とする。そして、時間ｔ3にて有機ＥＬ素子３３ｂを非導通状態とし、時間ｔ4にて有機ＥＬ素子３３ｃを導通状態とする。その後、時間ｔ5にて有機ＥＬ素子３３ｃを非導通状態とする。これにより、図１及び図２に示した電子表示パネル１において３つの有機ＥＬ素子３３ａ〜３３ｃを発光輝度の高いものから順に選択的に発光させる。
【００３７】
すると、有機ＥＬ素子３３ａ〜３３ｃのそれぞれは、導通状態となっている間にて、その際のマイコン６１による抵抗Ｒ１〜Ｒ３の選択による合成抵抗ＲFBに応じた電流が供給されて発光することになる。そのため、上記のような順序で有機ＥＬ素子３３ａ〜３３ｃの発光の切り替えを行った場合、有機ＥＬ素子３３ａの発光輝度が最も高く、有機ＥＬ素子３３ｃの発光輝度が最も低いとすると、有機ＥＬ素子３３ａに供給される電流の値が最も大きく、有機ＥＬ素子３３ｃに供給される電流の値が最も小さい。そのため、マイコン６１によって選択される抵抗Ｒ１〜Ｒ３による合成抵抗ＲFBは、図３（ｂ）に示すように、有機ＥＬ素子３３ａを発光させる際に最も低く、有機ＥＬ素子３３ｃを発光させる際に最も高くなる。
【００３８】
また、マイコン６１において、有機ＥＬ素子３３ａを非導通状態とするとともに有機ＥＬ素子３３ｂを導通状態とする時間ｔ1にて、スイッチング素子７１によるＳＷ４をＯＮ状態とし、それにより、コンデンサＣ１に蓄電された電力を抵抗Ｒ４及びスイッチング素子７１からなる放電パス７０を介して強制的に放電する。そして、時間ｔ2にてＳＷ４をＯＦＦ状態にし、放電パス７０を切る。なお、時間ｔ1から時間ｔ2の間は瞬時的である。      
【００３９】
すると、コンデンサＣ１に蓄電された電力が、導通状態となった有機ＥＬ素子３３ｂを介して放電することがなくなり、図３（ｃ）に示すように、電圧ＶFBが電圧ＶREFと等しくなり、それにより、図３（ｄ）に示すように、発光する際に供給される電流の値が第１の値となる有機ＥＬ素子３３ａから、発光する際に供給される電流の値が第１の値よりも小さな第２の値となる有機ＥＬ素子３３ｂに発光を切り替えた場合であっても、有機ＥＬ素子３３ｂに流れる電流は設定したものとなる。
【００４０】
また、同様に、マイコン６１において、時間ｔ3にて有機ＥＬ素子３３ｂを非導通状態とするとともにスイッチング素子７１によるＳＷ４をＯＮ状態とし、コンデンサＣ１に蓄電された電力を抵抗Ｒ４及びスイッチング素子７１からなる放電パス７０を介して強制的に放電し、その後、時間ｔ4にて有機ＥＬ素子３３ｃを導通状態とする。これにより、発光する際に供給される電流の値が第１の値となる有機ＥＬ素子３３ｂから、発光する際に供給される電流の値が第１の値よりも小さな第２の値となる有機ＥＬ素子３３ｃに発光を切り替えた場合であっても、有機ＥＬ素子３３ｃに流れる電流は設定したものとなる。
【００４１】
このように、蓄電した電力によって電流が供給されることにより発光する有機ＥＬ素子３３ａ〜３３ｃを、発光する際に供給される電流が大きなものから小さなものに切り替える際に、コンデンサＣ１に蓄電された電力を、抵抗Ｒ４及びスイッチング素子７１からなる放電パス７０を介して強制的に放電することにより、発光する有機ＥＬ素子３３ａ〜３３ｃを、発光する際に供給される電流が大きなものから小さなものに切り替える場合、コンデンサＣ１に蓄電された電力が放電パス７０を介して強制的に放電されてから、次に発光する有機ＥＬ素子の発光輝度に応じてコンデンサＣ１に電力が蓄電され、この電力が次に発光する有機ＥＬ素子に供給されることになり、それにより、コンデンサＣ１に電力を蓄電することによって電流を供給して有機ＥＬ素子３３ａ〜３３ｃを発光させる場合に、発光する際に供給される電流が大きな有機ＥＬ素子から、発光する際に供給される電流が小さな有機ＥＬ素子への切り替えを高速で行うことができる。
【００４２】
なお、本形態においては、３つの有機ＥＬ素子３３ａ〜３３ｃを並列に接続し、これら有機ＥＬ素子３３ａ〜３３ｃをその発光輝度を互いに異ならせるために供給する電流を変えて発光させる有機ＥＬ素子を高輝度のものから低輝度のものに切り替える場合を例に挙げて説明したが、本発明はこれに限らず、１つの有機ＥＬ素子に供給する電流を大きなものから小さなものに切り替える場合においても適用することができる。
【００４３】
また、発光素子としては、上述したような有機ＥＬ素子３３ａ〜３３ｃに限らず、ＬＥＤ等、蓄電された電力によって定電流駆動するものであればよい。
【符号の説明】
【００４４】
１    電子表示パネル
１０    表面シート
１１ａ〜１１ｃ    窓部
２０    基板
２１    保護フィルム
２２    粘着剤
３１ａ〜３１ｃ    表示電極
３２    ＩＴＯ
３３ａ〜３３ｃ    有機ＥＬ発光層
４０    電源部
４１    電池
５０    昇圧形定電流部
５１    コンパレータ
５２，７１    スイッチング素子
６０    制御部
６１    マイコン
７０    放電パス
Ｃ１    コンデンサ
Ｄ１    ダイオード
Ｌ１    コイル
Ｒ１〜Ｒ３    抵抗
ＳＷ１〜ＳＷ３    スイッチ
【図１】
0005684524.tif 000002
【図２】
0005684524.tif 000003
【図３】
0005684524.tif 000004
【図４】
0005684524.tif 000005
【図５】
0005684524.tif 000006
【図６】
0005684524.tif 000007